(57)【要約】【課題】異物の挟み込みにおよび引きだしに対する安全性が高く、復旧も容易な乗客コンベア手摺のインレットブーツ装置の提供。【解決手段】インレットブーツ装置は、Ｃ字型断面形状であって、前縁と後縁とを持ち、弾性材料で作られたブーツ本体の前縁から後縁に向かって軸方向に延びて、側壁を少なくとも部分的に第１および第２の側壁部分に分割するスリットと、スリットに関連して設けられて、第１および第２の側壁部分を互いに連結する伸展性連結要素とを備えている。【効果】異物の挟み込みに対する安全性が高く、一旦挟み込まれた異物も容易に抜き出すことができ、復旧も容易である。【選択図】図１
2010023958.tif 000002
【特許請求の範囲】
【請求項１】
底壁とその両側の断面Ｃ字型の側壁とを持つ全体としてＣ字型断面形状であって、前縁およびスカートガードに取り付けられる後縁を持ち、全体が弾性材料で作られたブーツ本体を備えた乗客コンベア手摺のインレットブーツ装置において、
上記ブーツ本体の上記前縁から上記後縁に向かって軸方向に延びて、上記側壁を少なくとも部分的に第１および第２の側壁部分に分割するスリットと、
上記スリットに関連して設けられて、上記第１および第２の側壁部分を互いに連結する伸展性連結要素とを備えたことを特徴とする乗客コンベア手摺のインレットブーツ装置。
【請求項２】
上記伸展性連結要素が本体と連続して一体の厚さの薄い部分であることを特徴とする請求項１に記載の乗客コンベア手摺のインレットブーツ装置。
【請求項３】
上記伸展性連結要素が嵌め込み式で交換可能であることを特徴とする請求項１に記載の乗客コンベア手摺のインレットブーツ装置。
【請求項４】
上記伸展性連結要素が長さ方向に上記スリットの一部だけに設けられていることを特徴とする請求項１に記載の乗客コンベア手摺のインレットブーツ装置。
【請求項５】
上記伸展性連結要素が線条体であることを特徴とする請求項１に記載の乗客コンベア手摺のインレットブーツ装置。
【請求項６】
上記スリットは、長さが上記ブーツ本体の軸方向長さの半分であり、上記前縁から上記後縁に向かって伸びていることを特徴とする請求項１〜５のいずれか一項に記載の乗客コンベア手摺のインレットブーツ装置。
【発明の詳細な説明】
【技術分野】
【０００１】
この発明は乗客コンベア手摺のインレットブーツ装置に関するものである。
【背景技術】
【０００２】
乗客コンベア手摺のインレットブーツ装置は、乗客コンベアの乗場あるいは降場で欄干の端部に開いた手摺出入口に設けられて、欄干に沿って循環する移動手摺が欄干から出入りする手摺出入口を囲む例えばＣ字型断面のスリーブ状のものである。インレットブーツ装置は、欄干の出入口の縁部に手摺が直接接触したり、手摺との間の隙間に異物が引き込まれたりすることを防ぐために、ある程度の可撓性と剛性とを兼ね備えた比較的厚いゴム等の材料でできている。
【０００３】
このような乗客コンベア手摺のインレットブーツ装置において、異物の引き込みを正確に検出するとともに、引き込まれた後に安全に引き出すためにインレットブーツ装置の手摺の外周に対向する開口端部の一部を変形し易くしておくことが提案されている。この装置によれば、保護体の手摺と対向する周縁部を薄くして剛性を低くしているため、手摺と保護体との間に手が挟まれたとき圧迫されることがなく、手先を引き抜くときの抵抗が少なくなるとされている（例えば特許文献１参照）。
【０００４】
また、障害物が挟まった際に、乗客コンベアの停止を確実とし、インレットブーツ装置である保護体を分離して障害物を速やかに解放できるようにするために、保護体を周方向の中央位置で、他端から一端側に至るように分割し、分割した一方の保護体片の分離面に電磁石を設け、他方の保護体片の分離面に磁性金属板を配設した安全装置が提案されている。そして、挟み込みを検出するスイッチの非動作時には、電磁石が磁性金属板を磁気吸引して第１および第２保護体片を結合させ、スイッチの動作時には、乗客コンベアの運転を停止するとともに、電磁石を消勢して、２つの保護体片を分離できるようにし、障害物が容易に引き出せるようにしてある（例えば特許文献２参照）。
【０００５】
【特許文献１】特開昭６１−１１９５８５号公報
【特許文献２】特開２００４−２２４５５３号公報
【発明の開示】
【発明が解決しようとする課題】
【０００６】
このような従来の乗客コンベア手摺のインレットブーツ装置においては、それぞれそれなりに優れたものであるが、特許文献１記載のものは、いたずら等指先で保護体の周縁部を押す場合、容易に周縁部が内側へ変形するため、手摺に手先が接触して、内側に引き込まれたとき、隙間が容易に広がり、手摺と保護体との隙間に手が挟まれやすくなってしまうという問題点があった。また、比較的奥まで挟まれたときは、保護体の剛性が高いため、周縁部のみ剛性が低いだけでは、抜けにくくなる恐れがあった。
【０００７】
また、特許文献２記載のものにおいては、保護体が容易に分離できるようにしてあるが、分割面での係合手段として、電磁石や引っ掛かり構造を用いているため、コストがかかり、不用意に分割された後、元の状態に復帰できないという課題があった。
【０００８】
従ってこの発明の目的は、異物の挟み込みに対する安全性が高く、一旦挟み込まれた異物も容易に抜き出すことができ、インレットブーツ装置の復旧も容易な乗客コンベア手摺のインレットブーツ装置を提供することである。
【課題を解決するための手段】
【０００９】
この発明の乗客コンベア手摺のインレットブーツ装置は、底壁とその両側の断面Ｃ字型の側壁とを持つ全体としてＣ字型断面形状であって、前縁およびスカートガードに取り付けられる後縁を持ち、全体が弾性材料で作られたブーツ本体を備えた乗客コンベア手摺のインレットブーツ装置であって、ブーツ本体の前縁から後縁に向かって軸方向に延びて、側壁を少なくとも部分的に第１および第２の側壁部分に分割するスリットと、スリットに関連して設けられて、第１および第２の側壁部分を互いに連結する伸展性連結要素とを備えたものである。
【発明の効果】
【００１０】
この発明の乗客コンベア手摺のインレットブーツ装置によれば、異物の挟み込みに対する安全性が高く、一旦挟み込まれた異物も容易に抜き出すことができ、インレットブーツ装置の復旧も容易である電磁波障害も軽減できるという効果が得られる。
【発明を実施するための最良の形態】
【００１１】
実施の形態１．
図１はこの発明の乗客コンベア手摺のインレットブーツ装置の一実施形態を示す斜視図であり、図２は図１における矢印Ａの方向に見たインレットブーツ装置の一部を示す図であり、図３は図２の線Ｂ−Ｂに沿った断面図である。図１において、乗客コンベア手摺のインレットブーツ装置１は、乗客コンベアの乗場床２で欄干の下部に設けられたスカートガード３の端部に開いた手摺出入口４に設けられていて、欄干に沿って循環する移動手摺５が手摺出入口４通って走行する際に、移動手摺５と手摺出入口４との間を異物に対して防護するためのものである。インレットブーツ装置１は、移動手摺５の周面の一部を囲み、全体として弾性材料で作られ、全体として移動手摺５の断面形状に対応したスリーブ状の部材である。
【００１２】
インレットブーツ装置１は、底壁６とその両側から延びたほぼＣ字型の断面形のほぼ円筒形の側壁７とを持つ全体としてＣ字型断面形状であって、乗場床２側の前縁８とスカートガード３に取り付けられた後縁９とを持ち、全体が合成ゴム等の弾性材料で作られたブーツ本体１０を備えている。ブーツ本体１０の２つの側壁７にはそれぞれ、図２および３に示すような、前縁８から後縁９に向かって軸方向（側壁７の円筒の軸方向すなわち移動手摺５の走行方向とほぼ平行な方向）には少なくとも部分的に延び、かつ側壁７の外周面から内周面にまで径方向（側壁７の円筒の径方向）には貫通して延びて、それぞれの側壁７を軸方向には少なくとも部分的に分割して、互いに周方向（側壁７の円筒の周方向）に分離した第１の側壁部分１１および第２の側壁部分１２を形成するスリット１３が設けられている。なお、この発明で「軸方向」、「径方向」および「周方向」はそれぞれ側壁７の円筒の軸方向、径方向および周方向の意味である。
【００１３】
インレットブーツ装置１はまた、スリット１３に関連して設けられて、スリット１３によって分割されたそれぞれの側壁７の第１および第２の側壁部分１１および１２を互いに連結する伸展性連結要素１４を備えている。伸展性連結要素１４は、図１に示す例では、側壁７を外周面から内周面にまで貫通して形成されて第１および第２の側壁部分１１および１２に分割するスリット１３の全長に亘って外周面側だけを埋めるブーツ本体１０と同じ弾性材料であり、換言すればブーツ本体１０に対して連続した一体の厚さの薄い部分である。図２および図３においては、説明のために第１の側壁部分１１と第２の側壁部分１２とを分割するスリット１３内に設けられた伸展性連結要素１４をハッチングにより示してある。
【００１４】
伸展性連結要素１４はまた、側壁７のそれぞれの第１および第２の側壁部分１１および１２に跨って設けられて、第１および第２の側壁部分１１および１２を互いに連結するものであると言うこともでき、あるいは、ブーツ本体１０の一部に設けられた伸展性を有する部分であると言うこともできる。
【００１５】
スリット１３は、先に述べた通りブーツ本体１０の内周面から外周面にまで延びて径方向に貫通しているものであるが、スリット１３の寸法は、ブーツ本体１０の形状、寸法、材質の弾性等およびスリット１３内に設けられる伸展性連結要素１４の形状、寸法および材質の弾性等を考慮して、インレットブーツ装置１が全体として、インレットブーツ装置１と移動手摺５との間の間隙を異物に対して保護する剛性とともに、この間隙に一旦引き込まれてしまった異物を容易に引き出せるようにする弾性とを合わせ持つように決定される。一般的には、スリット１３の長さは、少なくともブーツ本体１０の長さの１／４であり、ブーツ本体１０の全長に亘っていてもよいが、ブーツ本体１０の長さの半分であるのが望ましい。この範囲を外れると、インレットブーツ装置１として必要な作用が損なわれる虞がある。
【００１６】
このようなインレットブーツ装置１において、異物が移動手摺５とブーツ本体１０との間に引き込まれそうになったとき、ブーツ本体１０の底壁６の前縁８が、後縁９に向かって、また上方に押される。このときのブーツ本体１０の変形は、スリット１３が狭くなり、スリット１３内にある伸展性連結要素１４が圧縮力を受ける方向の変形のため、変形方向に対する剛性の低下が小さく、スリット１３がない場合の変形と比べても、挟まれにくさの低下はほとんどない。
【００１７】
万一、異物がブーツ本体１０と移動手摺５との間に挟まれてしまった場合には、ブーツ本体１０の底壁６の前縁８を下方に押し下げながら引き抜くことになるが、スリット１３内の伸展性連結要素１４は厚さが薄く弾性的に伸展する方向の変形をしようとするため、スリット１３と伸展性連結要素１４とが無い場合と比べると、ブーツ本体１０の底壁６の前縁８を下方に押し下げられやすくなり、異物を引き抜きやすくなる。
【００１８】
また、スリット１３は、ブーツ本体１０の前縁８から軸方向長さの約１／２の長さとするのが望ましいが、スリット１３の長さがこれより長いと、ブーツ本体１０全体の剛性が低くなり過ぎて不都合な程度にまで異物が引き込まれてしまうことがあり、これよりも短いと、異物の引き抜きが困難になることがあるからである。
【００１９】
実施の形態２．
図４に示すインレットブーツ装置１５においては、スリット１３が周方向の寸法即ち幅が大きくされた幅広部分１６を持ち、この幅広部分１６内に、伸展性連結要素１７としての弾性部材が固着されて設けられている。スリット１３の幅広部分１６は、図４に想像線で示すように、図１に示すスリット１３と同様のスリット１３から、スリット１３の全長に亘って、周方向両側にブーツ本体１０の側壁７に沿って延び、全体として湾曲した矩形の板状の空間であり、その厚さ（径方向寸法）は側壁７の厚さと同じである。従って側壁７のこの部分には、幅広部分１６によって形成された開口が貫通しているが、ブーツ本体１０の前縁８の部分は厚さ（径方向寸法）が大きくされているので、前縁８の部分においては、外周部が幅広部分１６の厚さ分だけ削り取られているだけで、厚くされた内周部分には幅の狭いスリット１３がそのまま残されている。
【００２０】
幅広部分１６の形状および寸法は様々に変更できる。例えば、その厚さがブーツ本体１０の厚さよりも小さくすると、幅広部分１６は側壁７を貫通した開口ではなく、外周面から浅く掘られたスリット１３の両側の凹部となる。幅広部分１６の長さを小さくすると、幅広部分１６はスリット１３の軸方向の長さの一部にだけ形成される。
【００２１】
幅広部分１６には、スリット１３を跨いで第１および第２の側壁部分１１および１２間を橋絡する伸展性連結要素１７が設けられている。伸展性連結要素１７は、幅広部分１６に対応した形状の湾曲した板状部材であって、ゴム、合成ゴム、合成樹脂等の弾力性のある材質でできていて、幅広部分１６内に嵌め込み式に接着材を用いて取り付けられ、図１から３に示す伸展性連結要素１４と同様の作用をして、インレットブーツ装置１５に必要な弾力性を与えている。伸展性連結要素１７は、必要に応じて交換可能である。伸展性連結要素１７を交換できるように取り付けるためには、必要に応じて取り外しのできる接着材を用いる他、ネジ、ピンあるいはリベット状の固着金具を用いることもできるし、幅広部分１６と伸展性連結要素１７との間に継手の蟻あるいは鎌のような適当な互いに係合する凹凸部を設けて固定することもできる。このように構成した場合も、実施例１と同様の効果が得られ、異物に対する保護および引き抜きやすさにおいてはさらに優れている。
【００２２】
実施の形態３．
図５はこの発明の乗客コンベア手摺のインレットブーツ装置の他の実施例を示す図であり、このインレットブーツ装置１８においては、スリット１３に設けた伸展性連結要素１９が、図１〜４に示す伸展性連結要素１４および１７と比較すると、スリット１３の長さ方向中央部に部分的にだけ設けられており、その径方向寸法が側壁７の厚さと等しいことが相違している。伸展性連結要素１９の材質はブーツ本体１０の材質と同じで、連続した一体のものである点は図１〜３に示すものと同様である。
【００２３】
この伸展性連結要素１９は、スリット１３内の一箇所に部分的にだけ設けられているが、複数個設けてもよく、径方向寸法を側壁７の厚さよりも小さくすることもでき、いずれにしてもスリット１３を不連続なものにし、スリット１３で分割された側壁７の第１の側壁部分１１と第２の側壁部分１２とを弾性的に連結するものである。このように構成した場合も、実施例１と同様の効果が得られ、異物に対する保護および引き抜きやすさにおいてはさらに優れている。
【００２４】
実施の形態４．
図６はこの発明の乗客コンベア手摺のインレットブーツ装置の他の実施例を示す図であり、このインレットブーツ装置２０においては、スリット１３によって分割された第１の側壁部分１１と第２の側壁部分１２とに跨って線条体である伸展性連結要素２１が設けられている。第１の側壁部分１１と第２の側壁部分１２にはそれぞれ貫通孔２２が設けられ、各貫通孔２２には伸展性のある弾性体である円環状の線条体が通されていて、第１の側壁部分１１と第２の側壁部分１２とが線条体によって弾性的に結合されている。このスリット１３は幅（周方向寸法）が狭く単に切れ目が入っているだけであると考えることもできる。スリット１３と伸展性連結要素２１以外のその他の構成は、図１〜５に示すものと同様である。
【００２５】
このように構成した場合も、実施例１と同様の効果が得られ、異物に対する保護および引き抜きやすさにおいてはさらに優れている。実施例２と同様の効果が得られる。さらに。挟まれた異物が抜けなくなったとき、通常はブーツ本体１０を切断して、ブーツ本体１０自体を交換しなければならなかったが、線条体である伸展性連結要素２１を切断するだけで開口を大きくできるので、異物を容易に引き抜くことができ、かつその後は。新たな伸展性連結要素２１のみの交換で復旧できるので、経済的で、かつ復旧に要する時間も短くてすむ。
【００２６】
線条体である伸展性連結要素２１は、例えば金属製の円形あるいは楕円形のリングの弾性を利用することができるし、ゴムあるいは合成樹脂の線条体を結び付けてもよいし、１つの側壁７に対して複数の線条体を並列に設けてもよい。伸展性連結要素２１の幅広のものにすることもできる。
【図面の簡単な説明】
【００２７】
【図１】この発明の乗客コンベア手摺のインレットブーツ装置の実施の形態を示す斜視図である。
【図２】図１の矢印Ａ方向に見た乗客コンベア手摺のインレットブーツ装置の部分側面である。
【図３】図２の線Ｂ−Ｂに沿って見た断面図である。
【図４】この発明の乗客コンベア手摺のインレットブーツ装置の別の実施の形態を示す斜視図である。
【図５】この発明の乗客コンベア手摺のインレットブーツ装置の別の実施の形態を示す斜視図である。
【図６】この発明の乗客コンベア手摺のインレットブーツ装置の更に別の実施の形態を示す斜視図である。
【符号の説明】
【００２８】
１、１５、１８、２０  インレットブーツ装置、６  底壁、７  側壁、８  前縁、９  後縁、１０  ブーツ本体、１１  第１の側壁部分、１２  第２の側壁部分、１３  スリット、１４、１７、１９、２１  伸展性連結要素。
【図１】
2010023958.tif 000003
【図２】
2010023958.tif 000004
【図３】
2010023958.tif 000005
【図４】
2010023958.tif 000006
【図５】
2010023958.tif 000007
【図６】
2010023958.tif 000008